(57)【要約】  交換可能なブレードのアイススケート靴（９）であって、当該アイススケート靴は、ホルダー（２）を有し、ブレードシステムを有し、該システムは、少なくとも一つのブレード係合部分（１１）と、ブレード（４、５２）とを持っており、かつ、当該アイススケート靴は、ブレード固定ポジションとブレード解放ポジションとの間での移動のために該ホルダーに取り付けられた少なくとも一つの取り付け器具（５）を有する。取り付け器具は、取り付け係合部分（６）を有し、取り付け器具がブレード固定ポジションにあるときに、取り付け係合部分と取り外し可能なように嵌り合うブレード係合部分によって、ブレードシステムがホルダーに保持される。ブレードシステムは、下向きのロッカー（３）と、該ロッカーに取り付けられたときに該ロッカーの第１の所定の曲率に一致する可撓性を有する交換可能なブレード（４）を更に有する。【選択図】図４
2010516306.tif 000002
【特許請求の範囲】
【請求項１】
アイススケート靴であって、当該アイススケート靴は、
ａ）ホルダーを有し、
ｂ）第１の所定の曲率の下側面と少なくとも一つのブレード係合部分とを持ったブレードシステムを有し、
ｃ）ブレードシステムは、該下側面に沿ったブレードを有し、
ｄ）当該アイススケート靴は、少なくとも一つの取り付け器具を有し、該取り付け器具は、ブレード固定ポジションとブレード解放ポジションとの間での移動のために、ホルダーに取り付けられており、
ｅ）取り付け器具は、取り付け係合部分を有し、
取り付け器具がブレード固定ポジションにあるときに、ブレード係合部分が取り付け係合部分と取り外し可能に嵌り合うことによって、ブレードシステムがホルダーに保持されるものである、
前記アイススケート靴。
【請求項２】
ブレードが、ブレードシステムと一体である、請求項１に記載のアイススケート靴。
【請求項３】
ブレードシステムが、
ａ）下向きのロッカーを有し、該ロッカーは、第１の所定の曲率の下側面と、前方端部および後方端部とを持っており、
ｂ）可撓性を有する交換可能なブレードを有し、該ブレードは、ロッカーに取り付けられていないときには第２の曲率を持っており、
ｃ）可撓性を有する交換可能なブレードは、上側面、氷と接触する下側面、前方端部、および、後方端部を有し、かつ、該ロッカーに対して取り外し可能なように取り付けられるように構成され、
ｄ）ブレードシステムは、可撓性を有する交換可能なブレードの前方端部をロッカーの前方端部に取り付けるための前方固定手段を有し、
ｅ）ブレードシステムは、可撓性を有する交換可能なブレードの後方端部をロッカーの後方端部に取り付けるための後方固定手段を有し、
可撓性を有する交換可能なブレードがロッカーに取り付けられた場合に、該ブレードがロッカーの第１の所定の曲率に一致するものである、
請求項１に記載のアイススケート靴。
【請求項４】
可撓性を有する交換可能なブレードが、その上側面の全長に沿った溝を有し、該溝が、ロッカーの下側面に沿って対応する尾根状部と嵌り合う、請求項３に記載のアイススケート靴。
【請求項５】
下向きのロッカーの後方端部が、ロッカーの前方端部に固定されたピボット回転ポイントの周りを、開ポジションと閉ポジションとの間で回転するように構成されており、該ロッカー部の後方端部が閉ポジションへと回転することによって、可撓性を有する交換可能なブレードの長さに沿った張力が生成されるようになっている、請求項３または４のいずれかに記載のアイススケート靴。
【請求項６】
取り付け器具の取り付け係合部分が、ブレード係合部分と取り外し可能なように嵌り合い、それによって、取り付け器具がブレード固定ポジションにあるときに、ロッカーの回転可能な後方端部を閉ポジションに保持する、請求項５に記載のアイススケート靴。
【請求項７】
取り付け器具が、少なくとも一つの付勢器具を有し、該付勢器具は、取り付け器具をブレード固定ポジションへと付勢し、かつ、取り付け器具はまた、解放造作部を含み、該造作部は、取り付け器具を、ブレード固定ポジションとブレード解放ポジションとの間で移動させるように構成されている、請求項１に記載のアイススケート靴。
【請求項８】
ブレード係合部分が、ストライカ造作部を有する、請求項１に記載のアイススケート靴。
【請求項９】
取り付け器具が保持ラッチであり、かつ、取り付け係合部分が爪状造作部である、請求項１に記載のアイススケート靴。
【請求項１０】
付勢器具がバネである、請求項７に記載のアイススケート靴。
【請求項１１】
解放造作部がボタンを有してなる、請求項７に記載のアイススケート靴。
【請求項１２】
可撓性を有する交換可能なブレードが、あらゆる多様な第１の曲率を持ったロッカーに対しても取り付けられるように構成されている、請求項３〜１１のいずれか１項に記載のアイススケート靴。
【請求項１３】
可撓性を有する交換可能なブレードが、前方固定手段および後方固定手段への配置と取り付けのために、その前方端部および後方端部の両方において、９０°よりも湾曲している、請求項３〜１２のいずれか１項に記載のアイススケート靴。
【請求項１４】
アイススケート靴であって、当該アイススケート靴は、
ａ）ホルダーを有し、
ｂ）ホルダーは、一体になっている下向きのロッカーを有し、該ロッカーは、第１の所定の曲率の下側面を持っており、
ｃ）下向きのロッカーは、固定された前方端部を持っており、かつ、開ポジションと閉ポジションとの間で回転するよう構成された後方端部を持っており、
ｄ）当該アイススケート靴は、可撓性を有する交換可能なブレードを有し、該ブレードは、スケート靴に取り付けられていないときには第２の曲率を持っており、
ｅ）可撓性を有する交換可能なブレードは、上側面、氷と接触する下側面、前方端部、および、後方端部を有し、かつ、ロッカーに対して取り外し可能なように取り付けられるように構成され、
ｆ）当該アイススケート靴は、前方固定手段を有し、該前方固定手段は、可撓性を有する交換可能なブレードの前方端部を、ロッカーの固定された前方端部に取り付けるためのものであり、
ｇ）当該アイススケート靴は、後方固定手段を有し、該後方固定手段は、可撓性を有する交換可能なブレードの後方端部を、ロッカーの回転可能な後方端部に取り付けるためのものであり、
ｈ）当該アイススケート靴は、保持ラッチを有し、該保持ラッチは、ホルダーにピボット回転するように取り付けられるように構成され、かつ、爪状造作部を持った構成とされており、
開ポジションと閉ポジションとの間でロッカーの後方端部が回転することによって、可撓性を有する交換可能なブレードの長さに沿った張力が生成され、その生成は、前方固定手段および後方固定手段の領域内の小さな半径の周りに引張り力の主要な成分を加えることなく行われ、かつ、
可撓性を有する交換可能なブレードは、ロッカーに取り付けられたときに、該ロッカーの下側面の曲率に一致し、かつ、保持ラッチは、ブレード固定ポジションにあるときに、ロッカーの回転可能な後方端部を閉ポジションに保持する、
前記アイススケート靴。
【請求項１５】
保持ラッチがブレード固定ポジションへバネによって付勢されることによって、爪状造作部がロッカーの後方端部に組み込まれたストライカ造作部に取り外し可能に嵌り合い、それによって、ロッカーの回転可能な後方端部が閉ポジションに確実に保持され、かつ、
保持ラッチがボタン造作部をも含んであり、該ボタン造作部が、保持ラッチを、ブレード固定ポジションとブレード解放ポジションとの間で動かすように構成されていることにより、該ボトム造作部がスケーターによって操作されたときに、爪状造作部がストライカ造作部から解放されるようになっている、請求項１４に記載のアイススケート靴。
【請求項１６】
可撓性を有する交換可能なブレードシステムが、その上側面の全長に沿った溝を有し、該溝が、ロッカーの下側面に沿って対応する尾根状部と嵌り合う、請求項１４に記載のアイススケート靴。
【請求項１７】
可撓性を有する交換可能なブレードが、あらゆる多様な第１の曲率を持ったロッカーに対しても取り付けられるように構成されている、請求項１４に記載のアイススケート靴。
【請求項１８】
ブレードが、前方固定手段および後方固定手段への配置と取り付けのために、その前方端部および後方端部の両方において、９０°よりも湾曲している、請求項１４に記載のアイススケート靴。
【請求項１９】
アイススケート靴であって、
ａ）ホルダーを有し、
ｂ）第１の所定の曲率の下側面と少なくとも一つのブレード係合部分とを持ったブレードシステムを有し、
ｃ）ブレードシステムは、該下側面に沿ったブレードを有し、
ｄ）当該アイススケート靴は、少なくとも一つの取り付け器具を有し、該取り付け器具は、ブレード固定ポジションとブレード解放ポジションとの間での移動のために、ホルダーに取り付けられており、
ｅ）取り付け器具は、取り付け係合部分を有し、かつ、該取り付け器具をブレード固定ポジションとブレード解放ポジションとの間で動かすための少なくとも一つのボタンを有し、
ｆ）当該アイススケート靴は、取り付け器具をブレード固定ポジションへと付勢する少なくとも一つの付勢器具を有し、
取り付け器具がブレード固定ポジションにあるときに、ブレード係合部分が取り付け係合部分と取り外し可能に嵌り合うことによって、該ブレードシステムがホルダーに保持されるものである、
前記アイススケート靴。
【請求項２０】
ホルダーが、別の取り付け係合部分を有する別の取り付け器具を有し、かつ、ブレードシステムが、該別の取り付け係合部分と取り外し可能なように嵌り合う別のブレード係合部分を有する、請求項１９に記載のアイススケート靴。
【請求項２１】
アイススケート靴であって、当該アイススケート靴は、
ａ）ホルダーを有し、該ホルダーは、少なくとも一つの実質的に取り囲まれた空洞を持っており、
ｂ）第１の所定の曲率の下側面と少なくとも一つのブレード係合部分とを持ったブレードシステムを有し、
ｃ）ブレードシステムは、下側面に沿ってブレードを有し、
ｄ）当該アイススケート靴は、少なくとも一つの取り付け器具を有し、該取り付け器具は、ブレード固定ポジションとブレード解放ポジションとの間での移動のために、ホルダーの空洞内に実質的に位置しかつ取り付けられており、
ｅ）取り付け器具は、空洞への第１の開口を通って到達できる取り付け係合部分を持っており、かつ、少なくとも一つのボタンを持っており、該ボタンは、ブレード固定ポジションとブレード解放ポジションとの間で取り付け器具を動かすために、第２の穴を通って到達できるものであり、
ｆ）当該アイススケート靴は、取り付け器具をブレード固定ポジションへと付勢する少なくとも一つの付勢器具を有し、
ホルダーにある第１の開口を通ってさし延ばされ、かつ、取り付け器具がブレード固定ポジションにあるときに、ブレード係合部分が取り付け係合部分と取り外し可能なように嵌り合うことによって、ブレードシステムがホルダーに保持されるものである、
前記アイススケート靴。
【請求項２２】
ホルダーが、別の取り付け係合部分を有する別の取り付け器具を有し、かつ、ブレードシステムが、該別の取り付け係合部分と取り外し可能なように嵌り合う別のブレード係合部分を有する、請求項２１に記載のアイススケート靴。
【請求項２３】
別の取り付け器具が、ホルダーに取り付けられた、一体的な保持ピンであり、かつ、別のランナー係合部分が、該一体的な保持ピンと取り外し可能なように係合する保持フックである、請求項２２に記載のアイススケート靴。
【請求項２４】
ホルダーが、前方ハウジングと後方ハウジングとを有し、かつ、前方ハウジングと後方ハウジングのうちの少なくとも一つが空洞を有する、請求項２１に記載のアイススケート靴。
【請求項２５】
ブレード係合部分が、ストライカ造作部を有する、請求項１９または２１のいずれかに記載のアイススケート靴。
【請求項２６】
取り付け器具が保持ラッチであり、かつ、取り付け係合部分が爪状造作部である、請求項１９または２１のいずれかに記載のアイススケート靴。
【請求項２７】
付勢器具がバネである、請求項１９または２１のいずれかに記載のアイススケート靴。
【請求項２８】
アイススケート靴であって、当該アイススケート靴は、
ａ）ホルダーを有し、
ｂ）ホルダーは、柔軟な保持表面と、一体的な保持ピンとを持っており、
ｃ）当該アイススケート靴は、ブレードシステムを有し、該ブレードシステムは、第１の所定の曲率の下側面と、付勢する面と、前方保持フックと、ストライカ造作部とを持っており、
ｄ）ブレードシステムは、下側面に沿ったブレードを有し、
ｅ）当該アイススケート靴は、保持ラッチを有し、該保持ラッチは、ブレード固定ポジションとブレード解放ポジションとの間での移動のために、ホルダーにピボット回転するように取り付けられており、
ｆ）保持ラッチは、爪状造作部を持っており、ブレード固定ポジションとブレード解放ポジションとの間で該保持ラッチを動かすためのボタンを持っており、かつ、該保持ラッチをブレード固定ポジションへと付勢するバネを持っており、
ブレードシステムは、前方保持フックによってホルダー内に保持され、該前方保持フックは、付勢する面と柔軟な保持面との相互作用によって付勢されて、一体的な保持ピンと協働するようになっており、かつ、保持ラッチがブレード固定ポジションにある場合には、ストライカ造作部が爪状造作部と取り外し可能なように嵌り合い、スケーターが保持ラッチをブレード固定ポジションからブレード解放ポジションへ動かすようにボタン造作部を操作することによって、ブレードシステムは、ホルダーから容易に取り外すことができるようにもなっている、
前記アイススケート靴。
【請求項２９】
アイススケート靴の製造方法であって、当該製造方法は、
ａ）ホルダーを備えることを有し、
ｂ）第１の所定の曲率の下側面と、少なくとも一つのブレード係合部分とを持ったブレードシステムを備えることを有し、
ｃ）ブレードシステムに、下側面に沿ったブレードを備えることを有し、
ｄ）ブレード固定ポジションとブレード解放ポジションとの間での移動のために、ホルダーに少なくとも一つの取り付け器具を取り付けることを有し、
ｅ）取り付け器具に、取り付け係合部分を備えることを有し、
ｆ）取り付け器具がブレード固定ポジションにあるときに、ブレードシステムがホルダーに保持されるように、ブレード係合部分を取り付け係合部分と取り外し可能なように嵌め合わせることを有する、
前記製造方法。
【請求項３０】
ブレードが、ブレードシステムと一体であるように構成される、請求項２９に記載の方法。
【請求項３１】
ブレードシステムの製造方法が、
ａ）下向きのロッカーに、第１の所定の曲率の下側面と、前方端部と、後方端部とを備えることを有し、
ｂ）可撓性を有する交換可能なブレードを備えることを有し、該ブレードは、ロッカーに取り付けられていないときには第２の曲率を持っており、
ｃ）可撓性を有する交換可能なブレードに、上側面、氷と接触する下側面、前方端部、および、後方端部を備えることを有し、かつ、可撓性を有する交換可能なブレードを、ロッカーに対して取り外し可能なように取り付け得るように構成することを有し、
ｄ）可撓性を有する交換可能なブレードの前方端部を、ロッカーの前方端部に前方固定手段によって取り付けることを有し、
ｅ）可撓性を有する交換可能なブレードの後方端部を、ロッカーの後方端部に後方固定手段によって取り付けることを有し、
可撓性を有する交換可能なブレードがロッカーに取り付けられたときに、該ブレードがロッカーの第１の所定の曲率に一致するように構成される、請求項２９に記載の方法。
【請求項３２】
可撓性を有する交換可能なブレードシステムに、その上側面の長さに沿った溝を付与し、かつ、可撓性を有する交換可能なブレードシステムを、ロッカーの下側面に沿って対応する尾根状部と嵌り合うように構成する、請求項３１に記載の方法。
【請求項３３】
下向きのロッカーの後方端部が、ロッカーの前方端部に固定されたピボット回転ポイントの周りを、開ポジションと閉ポジションとの間で回転するように構成されており、該ロッカー部の後方端部が閉ポジションへと回転することによって、可撓性を有する交換可能なブレードの長さに沿った張力が生成されるようになっている、請求項３１または３２のいずれかに記載の方法。
【請求項３４】
取り付け器具の取り付け係合部分が、ブレード係合部分と取り外し可能なように嵌め合わされ、それによって、取り付け器具がブレード固定ポジションにあるときに、ロッカーの回転可能な後方端部を閉ポジションに保持する、請求項３３に記載の方法。
【請求項３５】
取り付け器具は、少なくとも一つの付勢器具を備え、該付勢器具は、取り付け器具をブレード固定ポジションへと付勢し、かつ、取り付け器具はまた、解放造作部を持つよう構成され、該解放造作部は、取り付け器具を、ブレード固定ポジションとブレード解放ポジションとの間で移動させるように構成されている、請求項２９に記載の方法。
【請求項３６】
ブレード係合部分がストライカ造作部を有する、請求項２９に記載の方法。
【請求項３７】
取り付け器具は保持ラッチであり、かつ、取り付け係合部分が爪状造作部である、請求項２９に記載の方法。
【請求項３８】
付勢器具がバネである、請求項３５に記載の方法。
【請求項３９】
解放造作部がボタンを有してなる、請求項３５に記載の方法。
【請求項４０】
可撓性を有する交換可能なブレードが、あらゆる多様な第１の曲率を持ったロッカーに対しても取り付けられるように構成されている、請求項３１〜３９のいずれか１項に記載の方法。
【請求項４１】
ブレードが、前方固定手段および後方固定手段への配置と取り付けのために、その前方端部および後方端部の両方において、９０°を上回る湾曲を与えられる、請求項３１〜４０のいずれか１項に記載の方法。
【請求項４２】
アイススケート靴の製造方法であって、当該方法は、
ａ）ホルダーを備えることを有し、
ｂ）ホルダーに、第１の所定の曲率の下側面を有する、一体的な下向きのロッカーを備えることを有し、
ｃ）下向きのロッカーに、固定された前方端部と、後方端部とを備えること、および、下向きのロッカーを、開ポジションと閉ポジションとの間で回転するように構成することを有し、
ｄ）スケート靴に取り付けられていないときには、第２の曲率を有する可撓性を有する交換可能なブレードを備えることを有し、
ｅ）可撓性を有する交換可能なブレードに、上側面、氷と接触する下側面、前方端部、および、後方端部を備えることを有し、かつ、可撓性を有する交換可能なブレードを、ロッカーに対して取り外し可能なように取り付け得るように構成することを有し、
ｆ）可撓性を有する交換可能なブレードの前方端部を、ロッカーの前方端部に前方固定手段によって取り付けることを有し、
ｇ）可撓性を有する交換可能なブレードの後方端部を、ロッカーの後方端部に後方固定手段によって取り付けることを有し、
ｈ）ホルダーに保持ラッチをピボット回転するように取り付けること、および、爪状造作部を持つように該保持ラッチを構成することを有し、
開ポジションと閉ポジションとの間でロッカーの後方端部が回転することによって、可撓性を有する交換可能なブレードの長さに沿った張力が生成され、その生成は、前方固定手段および後方固定手段の領域内の小さな半径の周りに引張り力の主要な成分を加えることなく行われ、かつ、
可撓性を有する交換可能なブレードは、ロッカーに取り付けられたときに、該ロッカーの下側面の曲率に一致するように構成され、かつ、保持ラッチは、ブレード固定ポジションにあるときに、ロッカーの回転可能な後方端部を閉ポジションに保持する、
前記製造方法。
【請求項４３】
保持ラッチがブレード固定ポジションへバネによって付勢されるように構成されることによって、爪状造作部がロッカー後方端部に組み込まれたストライカ造作部と取り外し可能なように嵌り合い、それによって、ロッカーの回転可能な後方端部が閉ポジションに確実に保持され、かつ、保持ラッチがボタン造作部をも備えており、該ボタン造作部が、保持ラッチを、ブレード固定ポジションとブレード解放ポジションとの間で動かすように構成されていることにより、スケーターによって操作されたときに、爪状造作部がストライカ造作部から解放されるようになっている、請求項４２に記載の方法。
【請求項４４】
可撓性を有する交換可能なブレードシステムが、その上側面の全長さに沿った溝を備え、かつ、ロッカーの下側面に沿って対応する尾根状部と嵌り合うように構成されている、請求項４２に記載の方法。
【請求項４５】
可撓性を有する交換可能なブレードが、あらゆる多様な第１の曲率を持ったロッカーに対しても取り付けられるように構成されている、請求項４２に記載の方法。
【請求項４６】
ブレードが、前方固定手段および後方固定手段への配置と取り付けのために、その前方端部および後方端部の両方において、９０°を上回る湾曲を付与されている、請求項４２に記載の方法。
【請求項４７】
アイススケート靴の製造方法であって、当該製造方法は、
ａ）ホルダーを備えることを有し、
ｂ）第１の所定の曲率の下側面と、少なくとも一つのブレード係合部分とを持ったブレードシステムを備えることを有し、
ｃ）ブレードシステムに、下側面に沿ったブレードを備えることを有し、
ｄ）ブレード固定ポジションとブレード解放ポジションとの間での移動のために、ホルダーに少なくとも一つの取り付け器具を取り付けることを有し、
ｅ）取り付け器具に、取り付け係合部分を備え、かつ、ブレード固定ポジションとブレード解放ポジションとの間で取り付け器具を動かすように構成された少なくとも一つのボタンを備えることを有し、
ｆ）取り付け器具をブレード固定ポジションへ付勢する、少なくとも一つの付勢器具を備えることを有し、
取り付け器具がブレード固定ポジションにあるときに、取り付け係合部分と取り外し可能に嵌り合うブレード係合部分によって、ブレードシステムがホルダーに保持されるように構成されている、
前記製造方法。
【請求項４８】
さらに、別の取り付け係合部分を、別のブレード係合部分を持った別の取り付け器具に、取り外し可能に嵌め合わせることを有する、請求項４７に記載の方法。
【請求項４９】
アイススケート靴の製造方法であって、当該製造方法は、
ａ）少なくとも一つの実質的に取り囲まれた空洞を持つように構成されたホルダーを備えることを有し、
ｂ）第１の所定の曲率の下側面と、少なくとも一つのブレード係合部分とを持ったブレードシステムを備えることを有し、
ｃ）ブレードシステムに、下側面に沿ってブレードを備えることを有し、
ｄ）ブレード固定ポジションとブレード解放ポジションとの間での移動のために、ホルダーに少なくとも一つの取り付け器具を取り付けることを有し、
ｅ）取り付け器具に、空洞への第１の開口を通って到達できるように構成された取り付け係合部分を備えることを有し、かつ、少なくとも一つのボタンを備えることを有し、該ボタンは、ブレード固定ポジションとブレード解放ポジションとの間で取り付け器具を動かすために、第２の穴を通って到達できるものであり、
ｆ）取り付け器具をブレード固定ポジションへと付勢する少なくとも一つの付勢器具を備えることを有し、
ホルダーにある第１の開口を通って延ばされ、かつ、取り付け器具がブレード固定ポジションにあるときに、ブレード係合部分が取り付け係合部分と取り外し可能なように嵌り合うことによって、ブレードシステムがホルダーに保持されるように構成されている、
前記製造方法。
【請求項５０】
さらに、別の取り付け係合部分を、別のブレード係合部分を有する別の取り付け器具に取り外し可能なように嵌め合わせることを有する、請求項４９に記載の方法。
【請求項５１】
別の取り付け器具が、ホルダーに取り付けられるように構成された、一体化的な保持ピンであり、かつ、別のランナー係合部分が、一体的な保持ピンと取り外し可能なように係合するように構成された保持フックである、請求項５０に記載の方法。
【請求項５２】
さらに、ホルダーが、前方ハウジングと後方ハウジングとを有し、該前方ハウジングおよび該後方ハウジングのうちの少なくとも一つが空洞を備えている、請求項４９に記載の方法。
【請求項５３】
ブレード係合部分が、ストライカ造作部を有する、請求項４７または４９のいずれかに記載の方法。
【請求項５４】
取り付け器具が保持ラッチであり、かつ、取り付け係合部分が爪状造作部である、請求項４７または４９のいずれかに記載の方法。
【請求項５５】
付勢器具がバネである、請求項４７または４９のいずれかに記載の方法。
【請求項５６】
アイススケート靴の製造方法であって、当該製造方法は、
ａ）ホルダーを備えることを有し、
ｂ）ホルダーに、柔軟な保持面と、一体的な保持ピンとを備えることを有し、
ｃ）第１の所定の曲率の下側面と、付勢面と、前方保持フックと、ストライカ造作部とを有するブレードシステムを備えることを有し、
ｄ）さらに、ブレードシステムに、下側面に沿ったブレードを備えることを有し、
ｅ）ブレード固定ポジションとブレード解放ポジションとの間での移動のために、ホルダーにピボット回転するように保持ラッチを取り付けることを有し、
ｆ）保持ラッチに、爪状造作部を備えること、ブレード固定ポジションとブレード解放ポジションとの間で該保持ラッチを移動させるためのボタンを備えること、および、該保持ラッチをブレード固定ポジションに付勢するバネを備えることを有し、
ブレードシステムは、前方保持フックによってホルダー内に保持されるように構成され、該前方保持フックは、付勢する面と柔軟な保持面との相互作用によって付勢されて、一体的な保持ピンと協働するようになっており、かつ、保持ラッチがブレード固定ポジションにある場合には、ストライカ造作部が爪状造作部と取り外し可能なように嵌り合い、スケーターが保持ラッチをブレード固定ポジションからブレード解放ポジションへ動かすようにボタン造作部を操作することによって、ブレードシステムは、ホルダーから容易に取り外すことができるようにもなっている、
前記製造方法。
【発明の詳細な説明】
【背景技術】
【０００１】
背景技術
アイススケートは、数百年間、娯楽および輸送の目的のために利用されてきた。元々は、金属のブレードに類似したある種の低摩擦の滑り器具が、ひもを用いて従来のブーツに取り付けられた。やがて、前世紀に、アイススケートのためだけに使用されるのを特に意図したブーツ、典型的には、ブレードが堅固に取り付けられたブーツが発展した。一体化されたブレードとブーツは、それまで可能であったのを上回る速さおよび制御を可能とする剛性という利点を有する。
【０００２】
長年、アイススケート靴のために、交換可能な研がれたブレードを提供することには利点があり得ると認識されてきた。頻繁な使用により、従来のスケートブレードは、典型的には、ブーツ部分よりも先にすり減ってしまう。従って、スケート靴全部を交換するより、むしろブレードを交換することによって、スケート靴の寿命を延ばすという利点が存在する。
【０００３】
特に上級のスケーターにとっては、ブレード（産業上では「ロッカー（rocker）」と呼ばれる）の曲率(curvature)の度合いが重要である。スケーターが異なると、その個人的な好みに応じて、異なるロッカー曲率が選択される。都合の悪いことに、従来のスケート靴の構造では、ブレードとロッカーとが同義であるスケート靴を手作業で研ぐことによって、ロッカー曲率がわずかに変動しがちである。従来のスケート靴では、時間の経過と共に、この曲率が大きく変動し得る。
【０００４】
加えて、研ぐことは、通常、スケーター以外の人によって、専用のグラインディング装置を用いてなされなければならない。これはしばしばスケーターにとって不便であり、またいくらかの出費を伴う。
【０００５】
交換可能なスケートブレードを提供する先行技術の試みのいくつかは、スケート靴の、比較的重くそれゆえに高価な金属部分の交換を伴っており、相当な取り外しと固定の困難さが伴う。いくつかのそのような交換可能なブレードでは、交換の前に、多くの回数研磨されることが意図されていた。例えば、Olivieri に対する米国特許第5,088,749号を参照。他の先行技術の試みでは、交換可能なブレードは、軽量ではあったが、特に上級のスケーターが要求する堅牢さ(セキュリティ）を提供するように効果的にロッカーに取り付けられるものではなかった。例えば、Kinney に対する米国特許第2,108,128号を参照。更に別の交換可能なブレードは、複雑な構造のものであって、容易に低価格の商業生産に適合されるものではなかった。例えば、Dornseif に対するドイツ国特許第724488号、および、Isely に対する米国特許第3,947,050号を参照。その上、交換可能なブレードは、ブレードの構造、および、スケートブレードの底部に沿ってブレードを延ばすためにブレードにかかる張力(tension)に起因して、破損しがちな傾向がある。例えば、Cann らに対する米国特許第5,383,674号を参照。
【０００６】
Venier らに対する米国特許第5,988,683号には、交換可能なブレードシステムが記載されており、該システムでは、Cann の特許の構成に付随する過度の破損を含む先行技術の欠点が、新規の手段を用いることで解決されており、該手段は、フレキシブルで交換可能なブレードを、それがおおよそ長手方向に引き伸ばされ、かつ、その長さに沿って均等に張力が懸かるようにしてスケート靴に接続するようになっている。トルクを制限する器具が、消費者がスケート靴または交換可能なブレードを損傷することなくブレードを交換および調整することを容易にする。この構成の限界は、それに付随するアタッチメントおよび張力をかける機構が複雑であり、機能させるためにはトルクを制限する別個のツールが必要とされることである。Venier の特許の更なる問題点としては、張力をかける機構が、高い剛直性(stiffness)と、取り付けのための高強度の硬質(rigid)ホルダーを必要とすることである。
【発明の概要】
【０００７】
本発明は、先行技術のこれらの問題を解決する。本発明のスケート靴は、Venier による先行技術の特許と同一の、可撓性(flexible)を有する交換可能なブレードの構成を利用する。このブレードは、安価で、軽量で、かつ、容易に変えられ、尚かつ、スケート靴の残りの部分のすり減りが殆どまたは全くなしで交換され得る。この構造の結果、ブレードには、その長さに沿って均等に張力がかかり、また、手作業で研ぐ必要がないため、ロッカーの曲率が変動しない。加えて、ユーザーの好みに応じて異なるロッカーの曲率を選択することができ、かつ、同一の交換可能なブレードをそのような全てのロッカーの曲率でもって使用することができる。本発明の構成は、ピボット回転するロッカー部（ロッカーセクション）がブレードをスケート靴に取り付けるために利用されるという点でVenier の先行技術とは異なる。このピボット回転するロッカーの部分は、ブレードが保持されている時にブレードに張力をかけるために、Venier の特許のテンションボルト（tensioning bolt）、テンションプレート(tension plate)、および、トルク制限メカニズムではなく、差異を有する半径(differential radiuses)を利用する。
【０００８】
単純な保持ラッチ(retention latch)が構成されて、ピボット回転するロッカー部を、張力の懸かる可撓性を有し交換可能なブレードと近い位置に保持する。保持ラッチは、ピボット回転するロッカーの部分をブレードの交換のための取外しポジションまで取り外すために、スケーターによって単純に操作され得る。このシステムは、機能するために別個のツールを必要としない、張力の負荷がロッカー内に収められるため、ホルダーを通常のプラスチック素材から構成することができ、かつ、パーツの個数および複雑さが著しく低減される、といった点で Venier の構成よりも優れている。更には、本発明のロッカーの断面形状は、Venier の構成のそれよりも著しく単純であり、低コストの製造技術の使用を可能とする。
【０００９】
本発明の別の利点としては、可撓性を有する交換可能なブレードの構成からなる保持システムが、単一ピースのソリッドな（堅固な）ブレードシステムのためにも利用され得るということである。単一ピースのブレードシステムは、その下側面に沿ってブレードを組み込む。ソリッドなブレードの構成は、従来の方法で研ぐことができ、尚かつ、アイススケート靴アセンブリーの総寿命を延ばすために取り外しおよび交換され得る。
【００１０】
発明の要旨
よって、本発明のアイススケート靴は、ホルダーを有し、ブレードシステムを有し、該ブレードシステムは、第１の所定の曲率の下側面と、少なくとも一つのブレード係合部分とを持っており、該ブレードシステムは、下側面に沿ったブレードを有し、当該アイススケート靴は、ブレード固定ポジション（ブレードを固定するポジション）とブレード解放ポジション（ブレードを解放するポジション）との間での移動のために、ホルダーに取り付けられた少なくとも一つの取り付け器具を有し、該取り付け器具は、取り付け係合部分を有し、取り付け器具がブレード固定ポジションにあるときに、取り付け係合部分と取り外し可能なように嵌り合うブレード係合部分によって、ブレードシステムがホルダーに保持されるものである。
【００１１】
本発明の一つの態様では、ブレードは、ブレードシステムと一体である。
【００１２】
本発明の更なる態様では、ブレードシステムは、下向きのロッカーを有し、該ロッカーは、第１の所定の曲率の下側面と、前方端部および後方端部とを持っており、該ブレードシステムは、可撓性を有する交換可能なブレードを有し、該ブレードは、ロッカーに取り付けられていないときには第２の曲率を持っており、可撓性を有する交換可能なブレードは、上側面、氷と接触する下側面、前方端部、および、後方端部を有し、かつ、該ロッカーに対して取り外し可能なように取り付けられるように構成され、該ブレードシステムは、可撓性を有する交換可能なブレードの前方端部をロッカーの前方端部に取り付けるための前方固定手段を有し、該ブレードシステムは、可撓性を有する交換可能なブレードの後方端部をロッカーの後方端部に取り付けるための後方固定手段を有し、可撓性を有する交換可能なブレードがロッカーに取り付けられた場合に、該ブレードがロッカーの第１の所定の曲率に一致する。
【００１３】
本発明の一つの態様では、可撓性を有する交換可能なブレードが、その上側面の全長に沿った溝を持つように形成され、該溝が、ロッカーの下側面に沿って対応する尾根状部（ridge)または舌部(tongue)と嵌り合う。
【００１４】
本発明の好ましい実施形態では、下向きのロッカー後方端部が、ロッカー前方端部に固定されたピボット回転ポイントの周りを、開ポジションと閉ポジションとの間で回転するように構成され、該ロッカー部の後方端部が閉ポジションへと回転することによって、可撓性を有する交換可能なブレードの長さに沿った張力が生成されるようになっている。
【００１５】
本発明の該好ましい実施形態の一つの態様では、該取り付け器具の該取り付け係合部分は、該ブレード係合部分と取り外し可能なように嵌り合い、それによって、該取り付け器具がブレード固定ポジションにあるときに、該ロッカーの回転可能な後方端部を、閉じたポジションに保持する。
【００１６】
本発明の更なる態様では、取り付け器具は、少なくとも一つの付勢器具（付勢する器具）を含んでおり、該器具は好ましくはバネであり、取り付け器具をブレード固定ポジションへ付勢し(biasing、付勢力で押し付け)、かつ、取り付け器具はまた、解放造作部(releasing feature)を含み、該解放造作部は好ましくはボタンであり、該解放造作部は、ブレード固定ポジションとブレード解放ポジションとの間で取り付け器具を動かすように構成される。
【００１７】
本発明の更なる態様では、取り付け器具が保持ラッチであり、取り付け係合部分は爪状造作部(pawl feature)であり、かつ、ブレード係合部分がストライカ造作部(striker feature)を有する。
【００１８】
本発明の別の態様では、可撓性を有する交換可能なブレードが、あらゆる多様な第１の曲率を持ったロッカーに対して取り付けることができる。
【００１９】
本発明の更なる態様では、可撓性を有する交換可能なブレードが、前方固定手段および後方固定手段への配置と取り付けのために、その前方端部および後方端部の両方において、９０°よりも湾曲している。
【００２０】
本発明の別の好ましい実施形態では、ホルダーが、少なくとも一つの実質的に取り囲まれた空洞（チャンバー）を持っており、少なくとも一つの取り付け器具が、ブレード固定ポジションとブレード解放ポジションとの間での移動のために、ホルダーの空洞内に実質的に位置しかつ取り付けられており、該取り付け器具は、空洞への第１の開口を通って到達できる取り付け係合部分を持っており、かつ、少なくとも一つのボタンを持っており、該ボタンは、第２の穴を通って到達でき、ブレード固定ポジションとブレード解放ポジションとの間で取り付け器具を動かすためのものであり、ホルダーにある第１の開口を通ってさし延ばされ、かつ、取り付け器具がブレード固定ポジションにあるときに、ブレード係合部分が取り付け係合部分と取り外し可能なように嵌り合うことによって、ブレードシステムがホルダーに保持される。
【００２１】
本発明の代替的な実施形態では、ホルダーは、別の取り付け係合部分を有する別の取り付け器具を有し、かつ、ブレードシステムは、別の取り付け係合部分と取り外し可能なように嵌り合う別のブレード係合部分を有する。
【００２２】
本発明の更なる好ましい実施形態では、ホルダーは、柔軟な（コンプライアントな）保持面と一体的な保持ピンとを持っており、ブレードシステムは、第１の所定の曲率の下側面と、付勢面と、前方保持フックと、ストライカ造作部とを有し、該ブレードシステムは、下側面に沿ったブレードを有し、保持ラッチが、ブレード固定ポジションとブレード解放ポジションとの間での移動のためにホルダーにピボット回転するように取り付けられ、該保持ラッチは、爪状造作部を持っており、ブレード固定ポジションとブレード解放ポジションとの間で該保持ラッチを動かすためのボタンを持っており、該保持ラッチをブレード固定ポジションへ付勢するバネを持っており、前方保持フックによってホルダー内に保持され、該前方保持フックは、付勢する面と柔軟な保持面との相互作用によって付勢されて、一体的な保持ピンと協働するようになっており、かつ、保持ラッチがブレード固定ポジションにある場合には、ストライカ造作部が爪状造作部と取り外し可能なように嵌り合い、スケーターが保持ラッチをブレード固定ポジションからブレード解放ポジションへ動かすようにボタン造作部を操作することによって、ブレードシステムは、ホルダーから容易に取り外すことができるようになっている。
【００２３】
本発明のさらなる態様は、以下の説明から明らかとなるであろう。
【図面の簡単な説明】
【００２４】
【図１】図１は、交換可能なブレードのアイススケート靴アセンブリーの側面図である。
【図２】図２は、閉ポジションで示された、ロッカー、ブレード、および、取り付け手段の概略図である。
【図３】図３は、閉ポジションで示された、ホルダー、ロッカー、ブレード、および、取り付け手段を通る断面の概略図である。
【図４】図４は、解放ポジションで示された、ホルダー、ロッカー、ブレード、および、取り付け手段を通る断面の概略図である。
【図５】図５は、閉ポジションで示された、ホルダー、ロッカー、および、ブレードを通る横断面図である。
【図６】図６は、可撓性を有する交換可能なブレードの斜視図である。
【図７】図７は、保持ラッチの斜視図である。
【図８】図８は、交換可能なブレードのアイススケート靴アセンブリーの分解斜視図である。
【図９】図９は、閉ポジションで示された、アイススケート靴アセンブリーのホルダー、ロッカー、および、取り付け手段の代替的な実施形態の概略図である。
【図１０】図１０は、解放ポジションで示された、アイススケート靴アセンブリーのホルダー、ロッカー、および、取り付け手段の代替的な実施形態の概略図である。
【発明を実施するための形態】
【００２５】
発明の詳細な説明
図１を参照すると、交換可能なブレードのアイススケート靴アセンブリー（９）が、ブーツ（１）と、該ブーツに取り付けられるように構成されたホルダー（２）と、下向きのロッカー（３）と、可撓性を有する交換可能なブレード（４）とから、実質的に構成されている。
図２、３、４および８では、下向きのロッカー（３）が、第１の所定の曲率をもって構成され、かつ、前方端部（フロント エンド）（１２）と、一対のロッカー取り付けブラケット（１３）と、後方端部（リア エンド）（１０）とを含んでいることが示されている。
ロッカーの前方端部（１２）は、リベット打ち、ボルト締め、または、同様の締め付け手段によって、ホルダー（２）に対して不動的に取り付けられるように構成され、かつ、
尾根状部(ridge)または舌状部(tongue)（２０）、および、つま先の受け部（２６）を持つように構成される。
一対のロッカー取り付けブラケット（１３）は、リベット打ち、ボルト締め、溶接、接着、材料のすえ込み(material upsetting)、または、同様の手段によって、ホルダー（２）およびロッカー前方端部（１２）の両方に不動に取り付けられる。ロッカー取り付けブラケット（１３）は、ピボット回転継手（１４）を持つように構成され、該ピボット回転継手は、ホルダー（２）に構成された適当なクリアランスホール（clearance hole、クリアランスを有する穴）と芯が合う(align)ように構成される。ロッカー後方端部（１０）は、ブッシング（bushing、ブシュ）とリベットまたは同様の手段によって、ピボット回転継手（１４）のところで、ロッカー取り付けブラケットに回転可能に取り付けられて構成されている。ロッカーの後方端部（１０）は、ブレード係合部分（１１）と、かかとの受け部分（２８）と、尾根状部または舌状部（２０）を持つように構成される。取り付け器具（５）が、ラッチピボット回転ポイント（１５）において、ホルダー（２）に対してピボット回転するように取り付けられた構成となっている。取り付け器具（５）は、解放造作部(releasing feature)（８）と、取り付け係合部（６）とを持つように構成されている。取り付け係合部分（６）は、ブレード係合部（１１）とかみ合って、ロッカー部の後方端部（１０）を閉(closed)ポジションへと堅固に拘束するよう構成されている。図５は、ロッカー部の後方端部（１０）の断面図であり、該後方端部は閉ポジションにあり、可撓性を有する交換可能なブレード（４）が、嵌め合い溝を含むことを示しており、該嵌め合い溝は、尾根状部または舌状部（２０）にぴったりフィットするように構成されている。
【００２６】
図６を参照すると、可撓性を有する交換可能なブレード（４）が、第２の所定の曲率を持って構成され、かつ、前方フック（４９）、後方フック（５１）、および、その全長に沿って走る溝（２２）を含んでいる。可撓性を有する交換可能なブレード（４）は、ロックウェル“Ｃ”スケール４８以上にまで硬化され得る熱処理可能な鋼から成り得る。耐食性を付与するために、硬化性の種類のステンレス鋼を使用しても良い。代替としては、中程度から低い程度の耐食性を有し、より安く、ステンレスでなく、硬化可能で、延伸可能な鋼を用いても良い。ブレードが使い捨て可能（ディスポーザブル）であって長期間の使用を意図したものではないことを考えれば、小規模の腐食は、通常、深刻な問題とはならないであろう。
【００２７】
可撓性を有する交換可能なブレード（４）は、線材(wire stock)を用いて作っても良い。ブレードのための材料は、丸線のコイルの状態にて、延伸(drawing)／圧延(rolling)の設備に到着する。次いで、それは、線引き(ワイヤードローイング）ダイスを通して延伸され、および／または、所望の断面形状にへと圧延されるが、まだワイヤの形態にある。延伸／圧延の工程の後、次いで、該材料は、ブレードの下側の氷と接触する面を研がれる。研ぐためには、典型的には、グラインド操作を用いて行われる。ブレードは、次いで、適切なブレードの曲率を得るためにバネ線材曲げ機(spring wire bending machine)を通り、また、所定の湾曲すなわち曲率が、コンピューター制御されたまたは従来のバネ曲げ機を用いることでブレードに付与される。上述のように、標準的な曲率のブレードが、多くの異なる曲率のロッカーに適合し得る。そのような標準化された交換ブレードは、著しく有利である。
【００２８】
下向きのロッカー部（３）は、典型的には、アルミニウム合金によって構成されるが、鋼または同様の金属素材から作られても良い。ロッカー部の後方端部（１０）、および、ピボット回転継手（１４）におけるブッシングとリベットの構成は、ロッカー部の後方端部（１０）を取り外して、異なる第１の所定の曲率のものと交換することができるように構成される。ホルダーは、典型的には、ナイロンなどの成形されたプラスチックから製造される。
【００２９】
本発明の好ましい実施形態では、ブレード係合部分（１１）がストライカ造作部(striker feature)を有し、取り付け器具（５）が、ラッチピボット回転ポイント（１５）において、ホルダー（２）に対してピボット回転するように取り付けられるように構成された保持ラッチであり、かつ、該保持ラッチ（５）が、解放造作部（８）（該造作部は、好ましくはボタンである）を持つように、かつ、爪状造作部(pawl feature)を有する取り付け係合部分（６）を持つように構成される。爪状造作部（６）は、ロッカー部の後方端部（１０）を閉ポジションに堅固に拘束するために、ストライカ造作部（１１）とかみ合うように構成される。
【００３０】
図７は、ナイロンなどの成形されたプラスチックから典型的には製造される保持ラッチ（５）を示している。該保持ラッチは、爪状造作部（６）、ボタン（８）、ピボット回転穴（１６）、および、バネ保持ペグ(peg)（１７）を持つように構成されている。付勢力を与えるデバイス、好ましくは、典型的には鋼線にて製造されるバネ（７）が、該保持ペグ（１７）を介してトルクを付与することによって、爪状造作部（６）に付勢力を与え、図２に示すように、ロッカー部の後方端部（１０）のストライカ造作部（１１）と接触させるように構成されている。スケーターがボタン（８）に操作力を加えると、バネのトルクに打ち勝って、爪状造作部（６）をストライカ造作部（１１）から解放し、ロッカー部の後方端部（１０）が、閉ポジションから、図４に示すような解放ポジションまで回転することが可能となる。
【００３１】
ロッカーへのブレードの取り付けのプロセスをここで更に詳細に説明する。ロッカー部の後方端部（１０）が、図４に示すように、解放ポジションに置かれている。可撓性を有する交換可能なブレード（４）の前方フック（４９）が、つま先の受け領域（２６）内へと引っ掛けられる。次に、可撓性を有する交換可能なブレード（４）の後部フック（５１）が、かかとの受け領域（２８）内へと引っ掛けられる。次いで、ロッカー部の後方端部（１０）が、閉ポジションへ向けてピボット回転継手（１４）の周りを回転する。ロッカー部の後方端部（１０）が回転するにつれ、かかと受け領域（２８）が、つま先受け領域（２６）に対して後方に移動するのであるが、それは、ピボット回転継手（１４）によって定められる半径が、可撓性を有する交換可能なブレード（４）全体の長さによって規定される半径よりも小さいことに起因する。かかと受け領域（２８）の後方への移動によって、可撓性を有する交換可能なブレード（４）には、実質的にその長手方向軸に沿って張力がかかる。これは、過度の曲げ応力に起因したブレードの破損を防止するのを助ける。過度の曲げ応力は、（以前の或る器具で生じたように）コーナーや小さい半径を周ってブレードに張力がかかった場合に生じ得るものである。可撓性を有する交換可能なブレード（４）に張力がかかり、下向きのロッカー部（３）に引き寄せられるにつれ、その曲率は、下向きのロッカー部（３）の第１の所定の曲率と一致し、かつ、上向きの溝（２２）が、尾根状部または舌状部（２０）に係合しまたは嵌り込む。ロッカー部の後方端部（１０）が閉ポジションに到達したとき、保持ラッチ（５）の爪状造作部（６）が、ラッチバネ（７）によって付勢されてストライカ造作部（１１）と係合し、ロッカー部の後方端部（１０）が所定位置に堅固に拘束される。
【００３２】
本発明の更なる好ましい実施形態が、図９および１０に示されている。この実施形態は、単一ピースの下向きのブレードシステムの使用を伴っており、該システムは、ブレードを一体的に含み、かつ上述した可撓性を有する交換可能なブレード（４）の保持システムによってホルダー（２）に取り付けられる。この構成は、ブーツ（１）と、該ブーツに取り付けられるように構成されたホルダー（２）と、ブレードシステム（５０）とから実質的に構成される。ホルダー（２）は、ラッチピボット回転ポイント（１５）と、上述したピボット回転継手（１４）と同様の位置にある保持ピン（１８）と、柔軟な（コンプライアントな）保持面（１９）とを有して構成される。当該ブレードシステム（５０）は、ロックウェル“Ｃ”スケール４８以上にまで硬化され得る熱処理可能な鋼から成っても良い。耐食性を付与するために、硬化可能な種類のステンレス鋼を使用しても良い。当該ブレードシステム（５０）は、第１の所定の曲率の下面を持って構成され、かつ、該下面に沿ったブレード（５２）と、前方保持フック（５４）と、ストライカ造作部（５６）と、付勢面(biasing surface)と、幅補正具(width compensators)（６０）とを含む。上述の実施形態と同一の保持ラッチ（５）が、ボタン（８）と、爪状造作部と、ピボット回転穴（１６）と、バネ保持ピン（１７）とを持って構成される。当該ブレードシステム（５０）は、上述の実施形態のように、保持ピン（１８）とかみ合う前方保持フック（５４）、および、ストライカ（５６）とかみ合う保持ラッチの爪状造作部（６）によって、ホルダーに保持されるように構成される。
【００３３】
当該ブレードシステム（５０）がラッチ(latch、離れないように保持する)されたポジションにあるとき、付勢面（５８）が、ホルダー（２）の保持面（１９）と相互作用し、それが前方保持フック（５４）を保持ピン（１８）へ付勢する。鋼のブレードシステムとアルミニウムの下向きのロッカー部との幅が異なる必要があるため、幅補正具（６０）を鋼のブレードシステム（５０）に組み入れても良い。それにより、上述のホルダー（２）が、より幅の広いアルミニウムの下向きのロッカー部（３）を受け入れるように構成されているのであれば、鋼のブレードシステム（５０）を上述のホルダー（５０）において利用することができる。このようにして、通常のブーツ（１）、ホルダー（２）および保持システムを、可撓性を有する交換可能なブレード（４）またはより従来型の堅固な(solid)ブレード構成のために利用することができる。堅固なブレード構成は、当該ブレードシステム（５０）を従来の方法で研ぐことができ、尚かつ、アイススケート靴アセンブリーの寿命を延ばすように取り外しおよび交換され得るという利点を有する。加えて、付勢面（５８）と、柔軟な保持面（１９）との相互作用により、ホルダー（２）とブレードシステム（５０）との間のあらゆる動きを除去する残留圧縮荷重(residual compressive loading）が付与される。
【００３４】
以上の説明は、本発明の好ましい実施形態を例示することを意図している。説明した構成の変形は当業者には自明であり、それは本発明に包含されることが意図される。
【図１】
2010516306.tif 000003
【図２】
2010516306.tif 000004
【図３】
2010516306.tif 000005
【図４】
2010516306.tif 000006
【図５】
2010516306.tif 000007
【図６】
2010516306.tif 000008
【図７】
2010516306.tif 000009
【図８】
2010516306.tif 000010
【図９】
2010516306.tif 000011
【図１０】
2010516306.tif 000012
【国際調査報告】
2010516306.tif 000013
2010516306.tif 000014
2010516306.tif 000015